(57)【特許請求の範囲】
【請求項１】
窓枠状のフレームにネットを張設してなる網戸の破損個所を補修する網戸補修シートにおいて、
一方の面に粘着剤が塗布された透明なシート体を備え、上記シート体には上記ネットに貼着される四角形状のネット貼着部と、上記フレームの少なくとも内縁に沿って貼着されるフレーム貼着部とが設けられており、上記フレーム貼着部には上記ネット貼着部の対向する２辺に連設された左右一対の第１フレーム貼着部と、上記ネット貼着部の上記対向する２辺間の一方の辺に連設された第２フレーム貼着部とが含まれ、上記ネット貼着部および上記フレーム貼着部の各粘着面側には剥離紙がそれぞれ貼り付けられているとともに、上記第２フレーム貼着部の剥離紙は、同第２フレーム貼着部の一部を仮止め部として露出させるように分割されていることを特徴とする網戸補修シート。
【発明の詳細な説明】
【０００１】
【発明の属する技術分野】
本発明は網戸の破損部分を補修するための網戸補修シートに関し、さらに詳しく言えば、網戸のネットとフレームとの接合部近傍に生じた破損部を補修するのに好適な網戸補修シートに関するものである。
【０００２】
【従来の技術】
窓ガラスとともにサッシに取り付けられる網戸は、通常、サッシに対してスライド可能な戸車やＵ字状ガイド片を有するフレームに金属もしくは合成樹脂製のネット（網体）を張り、その端縁をフレームの係止溝内にゴムなどのシールパッキンとともに押し込んで一体に構成されている。
【０００３】
そもそも網戸は夏場に風通しをよくするため用いられていたが、近年では年間を通じてサッシに取り付けたままとされる傾向にあるため、経時的劣化が早く訪れるばかりでなく、物がぶつかるなどして損傷を受ける機会が多くなっている。
【０００４】
網戸の損傷の多くは「破れ」である。ぶつかる物が鋭利である場合は別として、網戸の中央部分は弾性に富んでいるため比較的破れにくいが、ネットの端部はフレームに固定されており応力が集中しやすいためか、多くの場合、「破れ」はネットの端部に発生している。
【０００５】
【発明が解決しようとする課題】
いずれにしても、一度破けてしまったネットは障子紙と同じくその全体をはがして、新しいものと張り替える必要に迫られるが、網戸の場合には、障子のように糊だけで貼ることができないため、簡単に張り替えることは困難である。
【０００６】
したがって、網戸の張り替えを専門とする業者に委託することになるが、破れ個所が例え軽微的な一部分であったとしても、全体の張り替えとなるため一律料金が請求され、割高の感は免れない。
【０００７】
この点にかんがみ、例えば実用新案登録第３０４０６８６号に示されているように、各家庭で日曜大工的に網戸の張り替えができるようにした専用治具も提案されているが、これとても、新たにネットやシールパッキンを購入する必要があるばかりでなく、誰でもが必ずしもきれいにネットを張れるという保証はない。
【０００８】
【課題を解決するための手段】
本発明は、このような課題を解決するためになされたものであって、その目的は、網戸の損傷（破損）がその全体を張り替える必要がない軽微な場合に、その損傷個所を間単に補修することができるようにした網戸補修シートを提供することにある。
【０００９】
上記目的を達成するため、本発明は、窓枠状のフレームにネットを張設してなる網戸の破損個所を補修する網戸補修シートにおいて、一方の面に粘着剤が塗布された透明なシート体を備え、上記シート体には上記ネットに貼着される四角形状のネット貼着部と、上記フレームの少なくとも内縁に沿って貼着されるフレーム貼着部とが設けられており、上記フレーム貼着部には上記ネット貼着部の対向する２辺に連設された左右一対の第１フレーム貼着部と、上記ネット貼着部の上記対向する２辺間の一方の辺に連設された第２フレーム貼着部とが含まれ、上記ネット貼着部および上記フレーム貼着部の各粘着面側には剥離紙がそれぞれ貼り付けられているとともに、上記第２フレーム貼着部の剥離紙は、同第２フレーム貼着部の一部を仮止め部として露出させるように分割されていることを特徴としている。
【００１０】
本発明の網戸補修シートによれば、ネット全体を張り替える必要がない、特にフレーム近傍に生じたネットの損傷（破れ）に対して好適であり、日曜大工的な技量でも網戸を簡単に補修することができる。なお、補修個所の見栄えをよくする意味で、少なくともネット貼着部にはネット（網体）と同じネットパターンが印刷されていることが好ましい。
【００１１】
【発明の実施の形態】
次に、本発明の実施の形態を図面を参照ながら説明する。図１は本発明の実施例の係る網戸補修シートの正面図であり、図２はその裏面図である。
【００１２】
まず、図１の正面図において、この網戸補修シートは、１枚のシート体よりなる補修シート１と、この補修シート１の裏面に塗布されている粘着剤の保護的要素としての剥離紙２とを備えている。補修シート１は薄い柔軟なプラスチックフィルムからなり、着色されていてもよいが、好ましくは透明がよい。
【００１３】
この実施例において、補修シート１は、図示鎖線Ａ，Ｂで囲まれた長方形状のネット貼着部１０と、ネット貼着部１０の長手方向の両端にそれぞれ連設された第１フレーム貼着部１１ａ，１１ｂと、幅方向のいずれか一方の端縁（この実施例では下縁側）に連設された第２フレーム貼着部１２とを有している。
【００１４】
図示鎖線Ａ，Ｂは折曲指示線であり、各フレーム貼着部１１ａ，１１ｂおよび１２は、網戸に取り付ける際、この折曲指示線Ａ，Ｂ部分でネット貼着部１０に垂直に折り曲げて使用される。
【００１５】
補修シート１の裏面全面には粘着剤が塗布されており、これを保護するため、補修シート１の裏面には剥離紙２が貼り付けられている。この剥離紙２は、補修シート１よりも一回り大きな矩形状に形成されている。
【００１６】
図２の裏面図に示されているように、剥離紙２には、ネット貼着部１０と第２フレーム貼着部１２との間の境界線（折曲指示線Ｂ）に沿って第１分割線２４が切り込まれている。
【００１７】
したがって、剥離紙２はこの第１分割線２４により、ネット貼着部１０側の剥離紙片２１と、第２フレーム貼着部１２側の剥離紙片２２とに分割されるが、剥離紙片２２には、さらに同剥離紙片２２からその一部を分割する第２分割線２５が切り込まれている。
【００１８】
この実施例において、第２分割線２５は第１分割線２４と平行であって、その両端は第２フレーム貼着部１２から外れた部分で、剥離紙２の下辺に向けて曲線状に延びている。したがって、剥離紙片２２はこの第２分割線２５により、ネット貼着部１０側寄りの第１剥離紙片２２１と、剥離紙２の下辺側寄りの第２剥離紙片２２とに分割可能とされている。
【００１９】
なお、折曲指示線Ｂと第１分割線２４は同一直線上にあるため、折曲指示線Ｂは第１分割線２４で代用可能である。折曲指示線Ａは剥離紙２に印刷してもよいし、もしくはプレスなどにより剥離紙２に刻設するようにしてもよいが、本発明において、折曲指示線Ａはあればそれなりに便利であるが、必ずしも積極的に表示する必要はない。
【００２０】
この補修シート１は、図３に示されているように、ネット４が張られた網戸フレーム３のコーナ部３０に沿って使用される。このコーナ部３０は正面から見て網戸の左下に位置しているが、このコーナ部３０に破損部４１があるものとして、その補修手順の一例を説明する。
【００２１】
まず、図４に示されているように、ネット貼着部１０に対して、折曲指示線Ａ，Ｂを目安として、左側の第１フレーム貼着部１１ａおよび下側の第２フレーム貼着部１２を図面手前側にそれぞれ直角に引き起こした後、例えば室内側から補修シート１を網戸フレーム３のコーナー部３０にあてがい寸法取りする。
【００２２】
すなわち、ネット貼着部１０で破損部４１を覆い、補修シート１をその破損部４１より例えば約２ｃｍほど長くなる部分Ｃを目検討で憶えるか、もしくは印などを付け、補修シート１を網戸から離して、その部分Ｃから補修シート１の右側部分をハサミやカッターなどで切断する。
【００２３】
次に、補修シート１を仮止めするため、第２フレーム貼着部１２の第１剥離紙片２２１を剥がす。なお、ネット貼着部１０の剥離紙片２１および第２フレーム貼着部１２の第２剥離紙片２２２は残しておく。
【００２４】
この状態が図５に示されている。すなわち、第１剥離紙片２２１を剥がすことにより、第２フレーム貼着部１２の粘着剤の一部が露出し、第２フレーム貼着部１２が仮止め部１２ａと未露出部１２ｂとに分割される。
【００２５】
そして、再び補修シート１を網戸フレーム３のコーナー部３０にあてがって、仮止め部１２ａを網戸フレーム３の下枠内縁３２に貼り付けて補修シート１を網戸フレーム３に仮止めする。
【００２６】
この仮止め部１２ａだけでは網戸フレーム３に対する粘着力が弱いため、簡単に取り外すことができる。したがって、補修シート１の位置合わせが上手くいかない場合には、その仮止めを外して再度位置合わせを行なうことができる。
【００２７】
仮止めが完了したならば、図６に示されているように、第２フレーム貼着部１２に残されている第２剥離紙片２２２を剥がして、第２フレーム貼着部１２の粘着剤全体を露出させて、網戸フレーム３の下枠内縁３２に貼り付ける。
【００２８】
次に、ネット貼着部１０側の剥離紙片２１を剥がして、ネット貼着部１０および左側の第１フレーム貼着部１１ａの粘着剤を露出させ、ネット貼着部１０を網戸の破損部４１を覆うようにしてネット４に貼り付けるとともに、左側の第１フレーム貼着部１１ａを網戸フレーム３の縦枠内縁３１に貼り付ける。
【００２９】
このようにして、室内側からの補修が終了したら、同様な手順で室外側から同じ構成の補修シート１を室内側の補修シート１に対向させて貼り付ける。これにより、破損部４１が補修シート１，１で挟み込まれ補修が完了する。
【００３０】
この補修シート１を目立たなくするには、室内側もしくは室外側のいずれか一方の補修シート１のネット貼着部１０に、網戸のネット４と同じネットパターンを印刷すればよい。
【００３１】
上記実施例では、第１フレーム貼着部１１ａ，１１ｂおよび第２フレーム貼着部１２を網戸フレーム３の内縁に貼着し得る幅としているが、フレーム貼着部の幅は、そのフレーム内縁からフレーム表面にかけて貼着し得るような広幅であってもよい。
【００３２】
また、上記実施例では、補修シート１の長さを破損部４１より若干長くなるように、余剰の右側部分をハサミなどにより切断しているが、補修シート１を元の長さのまま使用してもよい。
【００３３】
破損部４１が網戸のコーナー部ではなく、網戸のフレーム３に沿った中央部分にある場合、上記実施例にしたがえば、左右両側のフレーム貼着部１１ａ，１１ｂは不要であるため、切り落とされることになるが、フレーム貼着部１１ａ，１１ｂを残したままとしてもよい。
【００３４】
なお、網戸フレーム３の図示しない右側コーナー部側のネット４を補修する場合には、図７に示されているように、右側の第１フレーム貼着部１１ｂがネット貼着部１０に対して垂直に引き起こされることになる。
【００３５】
この補修シート１の長さおよび幅は任意である。例えば、補修シート１の長さを網戸の横幅もしくは高さ（いずれも内寸）と同じとし、補修時にユーザーが適宜ハサミなどで切断するようにしてもよい。
【００３６】
また、上記実施例では、本発明に係る補修シート１を２枚用いて、それらを室内側と室外側とから対向的に貼り付けるようにしているが、いずれか一方の補修シートには特にフレーム貼着部を設けることなく、ネット貼着部のみの構成としてもよい。さらに、補修シート１の貼り付けを室内側もしくは室外側の一方のみとして補修を完了してもよく、このような態様も本発明に含まれる。
【００３７】
【発明の効果】
以上説明したように、本発明の網戸補修シートによれば、ネットに破損が生じた場合において、ネット全体を網戸フレームから外したり、特別な治具などを必要とすることなく、ネットが破損した部分だけを容易に補修することができる。
【００３８】
また、この網戸補修シートを網戸フレームに取り付ける際に、仮止め部を構成したことにより、位置決めが簡単にでき、仕上がり性状も良好にすることができる。
【図面の簡単な説明】
【図１】本発明の実施例に係る網戸補修シートの正面図。
【図２】上記実施例に係る網戸補修シートの裏面図。
【図３】上記実施例に係る網戸補修シートを網戸に取り付けた状態を示す斜視図。
【図４】上記実施例に係る網戸補修シートの取り付け手順を説明するための斜視図。
【図５】上記実施例に係る網戸補修シートの取り付け手順を説明するための斜視図。
【図６】上記実施例に係る網戸補修シートの取り付け手順を説明するための斜視図。
【図７】上記実施例に係る網戸補修シートの取り付け手順を説明するための斜視図。
【符号の説明】
１  補修シート
１１ａ，１１ｂ  第１フレーム貼着部
１２  第２フレーム貼着部
１２ａ  仮止め部
２  剥離紙
２１，２２，２３  剥離紙片
３  網戸フレーム
４  網戸ネット
【図１】
0003545960.tif 000002
【図２】
0003545960.tif 000003
【図３】
0003545960.tif 000004
【図４】
0003545960.tif 000005
【図５】
0003545960.tif 000006
【図６】
0003545960.tif 000007
【図７】
0003545960.tif 000008